(57)【要約】      （修正有）【課題】目地部間に設置される目地カバー本体を水平状態に保持し、目地部が狭くなると、その揺れ動きを確実に吸収し、揺れ動きが停止すると自動的に元の状態に戻すことができる天井用目地装置を得る。【解決手段】左右の建物の目地部２側の天井躯体３ａに水平状態に係止されるように取付けられた一対の目地カバー７と、その上部の左右の天井躯体に固定された一対のガイドレール８、一方のガイドレールにスライド移動可能に支持されたハの字状のリンク１２、左右の天井躯体に取付けられた一対の滑車１６、一対の滑車を通過してハの字状のリンクの一方のリンク部材１２ａの中央部に取付けられた一対の中央滑車１７、一対の中央滑車を通過してハの字状のリンクの他方のリンク部材１２ｂの他端部寄りに取付けられたガイド滑車１８を介してハの字状のリンクの一方のリンク部材１２ａの他端部寄りの部位に取付けられたワイヤー１９，２０とからなる吊り上げ機構２１とで構成している。【選択図】  図３
2004332258.tif 000002
【特許請求の範囲】
【請求項１】
目地部を介して設置された左右の建物の目地部側の左右の天井躯体の両方の天井躯体に、ヒンジ部材を介して先端部が上方へ回動可能で、かつほぼ水平状態に係止されるように取付けられた前記目地部を覆う一対の目地カバーと、この一対の目地カバーの上部の前記左右の天井躯体に固定された一対のガイドレール、この一対のガイドレールの一方のガイドレールに一端部が一体となってスライド移動可能に支持され、外方へ傾斜するように配置された他端部が前記一対のガイドレールの他方のガイドレールにスライド移動可能に支持されたハの字状のリンク、前記一対の目地カバーの上面にそれぞれ設けられた左右の天井躯体側から先端部方向へスライド移動可能な一対のスライド移動体、この一対のスライド移動体に一端部が取付けられ、他端部が前記一対の目地カバーの上部の左右の天井躯体に取付けられた一対の滑車、この一対の滑車を通過して前記ハの字状のリンクの一方のリンク部材の中央部に取付けられた一対の中央滑車、この一対の中央滑車を通過して前記ハの字状のリンクの他方のリンク部材の他端部寄りに取付けられたガイド滑車を介して、前記ハの字状のリンクの一方のリンク部材の他端部寄りの部位に取付けられたワイヤーとからなる吊り上げ機構とからなることを特徴とする天井用目地装置。
【請求項２】
目地部を介して設置された左右の建物の目地部側の左右の天井躯体の両方の天井躯体に、ヒンジ部材を介して先端部が上方へ回動可能で、かつほぼ水平状態に係止されるように取付けられた前記目地部を覆う一対の目地カバーと、この一対の目地カバーの上部の前記左右の天井躯体に固定された一対のガイドレール、この一対のガイドレールに両端部がスライド移動可能に支持された中央部が枢支ピンで枢支されたＸ字状のリンク、前記一対の目地カバーの上部にそれぞれ設けられた左右の天井躯体側から先端部方向へスライド移動可能な一対のスライド移動体、この一対のスライド移動体に一端部が取付けられ、他端部が前記一対の目地カバーの上部の左右の天井躯体に取付けられた一対の滑車、前記Ｘ字状のリンクの一方のリンク部材の中央部寄りの部位に取付けられた一対の中央滑車、この一対の中央滑車寄り前記Ｘ字状のリンクの他方あるいは一方のリンク部材、一方あるいは地方のリンク部材というように交互に通過する複数個の中間滑車を介して前記Ｘ字状のリンクの一方あるいは他方の端部に固定される一対のワイヤーとからなる吊り上げ機構とからなることを特徴とする天井用目地装置。
【請求項３】
目地部を介して設置された左右の建物の目地部側の左右の天井躯体の両方の天井躯体に、ヒンジ部材を介して先端部が上方へ回動可能で、かつほぼ水平状態に係止されるように取付けられた前記目地部を覆う一対の目地カバーと、この一対の目地カバーの上部の前記左右の天井躯体に両端部が枢支された四角枠状のリンク本体、このリンク本体の一方の対向するリンク部材のほぼ中央部に両端部が枢支された中央リンク、前記リンク本体の両端部の枢支部と対応する前記一対の目地カバーの上面にそれぞれ設けられた左右の天井躯体側から先端部方向へスライド移動可能な一対のスライド移動体、この一対のスライド移動体に一端部が取付けられ、他端部が前記一対の目地カバーの上部の左右の天井躯体に取付けられた一対の滑車、この一対の滑車を通過して前記中央リンクの中央部に取付けられた中央滑車、この中央滑車を通過して前記リンク本体の中央部の一方の枢支部に取付けられたガイド滑車、このガイド滑車を通過して前記リンク本体の中央部の他方の枢支部あるいは該枢支部の近傍のリンク部材に取付けられたワイヤーとからなる吊り上げ機構とからなることを特徴とする天井用目地装置。
【請求項４】
一対の目地カバーを回動させるワイヤーは一方の目地カバーが回動した後に、他方の目地カバーが回動するように他方の目地カバーを回動させる部位のワイヤーに遊びが設けられていることを特徴とする請求項１、２、３いずれから記載の天井用目地装置。
【発明の詳細な説明】
【０００１】
【発明の属する技術分野】
本発明は目地部を介して設置された左右の建物の天井部分の目地部を覆う天井用目地装置に関する。
【０００２】
【従来の技術】
従来のこの種の天井用目地装置は、目地カバー本体の両端部を左右の建物の天井躯体にスライド移動させたり、一端部を室内側に回動させるようにして、地震時の目地部の寸法が変化する揺れ動きを吸収できる構造になっている。
【０００３】
【発明が解決しようとする課題】
従来の天井用目地装置は目地カバー本体の両端部が目地部側の天井躯体をスライド移動するため、そのスライド移動量を確保しなければならず、大型となり、天井化粧材に取付けるのに苦労するとともに、室内に目地カバー本体の両端部が突出して見苦しくなるという欠点があった。
また、目地カバー本体の一端部を室内側に回動させる構造の天井用目地装置は室内に突出するため、危険であるという欠点があった。
【０００４】
本発明は以上のような従来の欠点に鑑み、目地部間に設置される目地カバー本体を常時ほぼ水平状態に保持し、目地部が狭くなると確実に回動して、その揺れ動きを確実に吸収し、揺れ動きが停止すると自動的に元の状態に戻すことができるとともに、安全に使用することができる天井用目地装置を提供することを目的としている。
【０００５】
本発明の前記ならびにそのほかの目的と新規な特徴は次の説明を添付図面と照し合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設置された左右の建物の目地部側の左右の天井躯体の両方の天井躯体に、ヒンジ部材を介して先端部が上方へ回動可能で、かつほぼ水平状態に係止されるように取付けられた前記目地部を覆う一対の目地カバーと、この一対の目地カバーの上部の前記左右の天井躯体に固定された一対のガイドレール、この一対のガイドレールの一方のガイドレールに一端部が一体となってスライド移動可能に支持され、外方へ傾斜するように配置された他端部が前記一対のガイドレールの他方のガイドレールにスライド移動可能に支持されたハの字状のリンク、前記一対の目地カバーの上面にそれぞれ設けられた左右の天井躯体側から先端部方向へスライド移動可能な一対のスライド移動体、この一対のスライド移動体に一端部が取付けられ、他端部が前記一対の目地カバーの上部の左右の天井躯体に取付けられた一対の滑車、この一対の滑車を通過して前記ハの字状のリンクの一方のリンク部材の中央部に取付けられた一対の中央滑車、この一対の中央滑車を通過して前記ハの字状のリンクの他方のリンク部材の他端部寄りに取付けられたガイド滑車を介して、前記ハの字状のリンクの一方のリンク部材の他端部寄りの部位に取付けられたワイヤーとからなる吊り上げ機構とで天井用目地装置を構成している。
【０００７】
【発明の実施の形態】
以下、図面に示す実施の形態より、本発明を詳細に説明する。
【０００８】
図１ないし図９に示す本発明の第１の実施の形態において、１は本発明の天井用目地装置で、この天井用目地装置１は目地部２を介して設置された左右の建物３、３の目地部側の左右の天井躯体３ａ、３ａにヒンジ部材４、４を介して先端部が上方へ回動可能で、かつほぼ水平状態に係止するように取付けられた、前記目地部２を覆う先端部が重なり合う傾斜面５、６に形成された一対の目地カバー７、７と、この一対の目地カバー７、７の上部の前記左右の天井躯体３ａ、３ａに固定された一対のガイドレール８、８、この一対のガイドレール８、８の一方のガイドレール８に一端部が取付け金具９に枢支ピン１０、１０で枢支されて一体となり、該取付け金具９の底面に取付けられたローラー１１によってスライド移動可能に支持され、外方へ傾斜するように配置された他端部の底面に取付けられたローラー１１、１１が前記一対のガイドレール８、８の他方のガイドレール８にスライド移動可能に支持されたハの字状のリンク１２、前記一対の目地カバー７、７の上面にそれぞれ設けられた左右の天井躯体３ａ、３ａ側から先端部方向へスライド移動可能な両端部が下方へ曲げ加工された手摺状のガイド部材１３、１３、このガイド部材１３、１３にそれぞれスライド移動可能に取付けられたワイヤー取付けリング１４、１４とからなる一対のスライド移動体１５、１５と、この一対のスライド移動体１５、１５のワイヤー取付けリング１４、１４に一端部が取付けられ、他端部が前記一対の目地カバー７、７の上部の左右の天井躯体３ａ、３ａに取付けられた一対の滑車１６、１６、この一対の滑車１６、１６を通過して、前記ハの字状のリンク１２の一方のリンク部材１２ａの中央部に取付けられた一対の中央滑車１７、１７、この一対の中央滑車１７、１７を通過し、前記ハの字状のリンク１２の他方のリンク部材１２ｂの他端部寄りに取付けられたガイド滑車１８を介して、前記ハの字状のリンク１２の一方のリンク部材１２ａの他端部寄りの部位に取付けられた一方の長さよりも他方がわずかに長くて、遊びを有するように設定された一対のワイヤー１９、２０とからなる吊り上げ機構２１とで構成されている。
【０００９】
上記構成の天井用目地装置１は、一対の目地カバー７、７はヒンジ部材４、４によってほぼ水平状態に位置して、目地部２を覆った状態になるとともに、一対のワイヤー１９、２０の一方のワイヤー１９が張られた状態で、他方のワイヤー２０は少し遊びがある状態で張られている。
【００１０】
地震等によって左右の建物３、３が揺れ動き、目地部２が広くなった場合には図５に示すように、一対の目地カバー７、７がヒンジ部材４、４によって水平方向に支持されたまま離れた状態になるとともに、一対のガイドレール８、８に支持されたハの字状のリンク１２のリンク部材１２ａと他方のリンク部材１２ｂの他端部が近接する方向にスライド移動して、その揺れ動きを吸収する。
また、揺れ動きが停止すると、元の状態に自動的に戻る。
【００１１】
目地部２が狭くなるように揺れ動いた場合には図６ないし図９に示すように、ハの字状のリンク１２の一方のリンク部材１２ａと他方のリンク部材１２ｂの他端部が離れる方向にスライド移動する。
この一方のリンク部材１２ａと他方のリンク部材１２ｂの移動によって、まず一方のワイヤー１９が目地部２が狭くなる寸法の２倍ぐらいの寸法が移動して一方の目地カバー７を回動させ、しかる後、他方の目地カバー７を回動させる。
さらに目地部２がさらに狭くなると、図９に示すようにワイヤー１９、２０の一端部が取付けられているワイヤー取付けリング１４、１４がガイド部材１３、１３をスライド移動して、ワイヤー１９、２０に必要以上の荷重が加わるのを防止する。
揺れ動きが停止すると、遊びのある他方のワイヤー２０が取付けられた他方の目地カバー７が元の位置へ戻り、その後に一方の目地カバー７が元の位置へ戻り、自動的に元の状態に戻る。
【００１２】
【発明の異なる実施の形態】
次に、図１０ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図１０ないし図１２に示す本発明の第２の実施の形態において、前記本発明の第１の実施の形態と主に異なる点は、ハの字状のリンク１２の一方のリンク部材１２ａと他方のリンク部材１２ｂの他端部を支持する他方のガイドレール８、８を別々に構成するとともに、一対の目地カバー７、７の上面に上部が開口するチャンネル材２２、２２を固定し、該チャンネル材２２、２２の両側壁にワイヤー１９、２０の一端部が取付けられたスライドバー２３、２３がスライド移動可能な長孔２４、２４、２４、２４を形成した一対のスライド移動体１５Ａ、１５Ａを用いた点で、このように構成した天井用目地装置１Ａにしても、前記本発明の第１の実施の形態と同様な作用効果が得られる。
【００１４】
図１３ないし図１５に示す本発明の第３の実施の形態において、前記本発明の第１の実施の形態と主に異なる点は、一対の目地カバー７、７の一方の目地カバー７の先端部を垂直状態となるように形成し、他方の目地カバー７の先端部を覆うカバー２５を一方の目地カバー７の先端上部に設けるとともに、ハの字状のリンク１２Ａの一方のリンク部材１２ａと他方のリンク部材１２ｂの一端部を枢支ピン１０で枢支し、該枢支ピン１０の下部にローラー１１を取付けた点で、このように構成した天井用目地装置１Ｂにしても、前記本発明の第１の実施の形態と同様な作用効果が得られる。
【００１５】
図１６ないし図１８に示す本発明の第４の実施の形態において、前記本発明の第１の実施の形態と主に異なる点は、一方のリンク部材２６と他方のリンク部材２７とを中央部で枢支ピン２８で枢支したＸ字状のリンク２９と、このＸ字状のリンク２９の一方のリンク部材２６の中央部寄りの部位に取付けられた一対の中央滑車１７、１７と、この一対の中央滑車１７、１７より前記Ｘ字状のリンク２９の一方のリンク部材２６および他方のリンク部材２７に取付けられた中間滑車３０、３１、３２を通過して他方のリンク部材２７の端部寄りの部位に固定される一対のワイヤー１９、２０を用いた吊り上げ機構２１Ａを用いた点で、このように構成した天井用目地装置１Ｃにしても、前記本発明の第１の実施の形態と同様な作用効果が得られる。
なお、本発明の実施の形態では一対の中央滑車１７、１７よりＸ字状のリンク２９の他方のリンク部材２７に取付けられた中間滑車３１、３２を通過して、他方のリンク部材２６に取付けられた中央滑車１７、１７をワイヤー１９、２０が通過するようにしてもよい。
【００１６】
図１９ないし図２１に示す本発明の第５の実施の形態において、前記本発明の第１の実施の形態と主に異なる点は、両端部が左右の天井躯体３ａ、３ａに枢支された四角枠状のリンク本体３３、このリンク本体３３の一方の対向するリンク部材３３ａ、３３ａのほぼ中央部に両端部が枢支ピン３４、３４で枢支された中央リンク３５とからなるリンク３６を用いるとともに、このリンク３６の中央リンク３５の中央部に中央滑車１７、リンク本体３３の中央部の一方の枢支部である枢支ピン３７に取付けられたガイド滑車３８、このガイド滑車３８を通過してリンク本体３３の中央部の他方の枢支部である枢支ピン３９あるいは該枢支ピン３９近傍のリンク部材に取付けられたワイヤー固定金具４０とを用いた点で、このように構成した天井用目地装置１Ｄにしても、前記本発明の第１の実施の形態と同様な作用効果が得られる。
【００１７】
図２２ないし図２４に示す本発明の第６の実施の形態において、前記本発明の第１の実施の形態と主に異なる点は、両端部の枢支部である枢支ピン３４、３４にローラー１１、１１を取付け、一対のガイドレール８、８にスライド移動可能に支持された四角枠形状の一対のリンク３６Ａ、３６Ａと、この一対のリンク３６Ａ、３６Ａが一体となってガイドレール８、８をスライド移動させる両端部の枢支ピン３４、３４および３４、３４に連結バー４１、４１を取付けるとともに、前記一対のリンク３６Ａ、３６Ａにそれぞれ中央滑車１７、ガイド滑車３８、ワイヤー固定金具４０とを使用した吊り上げ機構２１Ｂを用いた点で、このように構成した天井用目地装置１Ｅにしても、前記本発明の第１の実施の形態と同様な作用効果が得られる。
【００１８】
【発明の効果】
以上の説明から明らかなように、本発明にあっては次に列挙する効果が得られる。
【００１９】
（１）目地部を介して設置された左右の建物の目地部側の左右の天井躯体の両方の天井躯体に、ヒンジ部材を介して先端部が上方へ回動可能で、かつほぼ水平状態に係止されるように取付けられた前記目地部を覆う一対の目地カバーと、この一対の目地カバーの上部の前記左右の天井躯体に固定された一対のガイドレール、この一対のガイドレールの一方のガイドレールに一端部が一体となってスライド移動可能に支持され、外方へ傾斜するように配置された他端部が前記一対のガイドレールの他方のガイドレールにスライド移動可能に支持されたハの字状のリンク、前記一対の目地カバーの上面にそれぞれ設けられた左右の天井躯体側から先端部方向へスライド移動可能な一対のスライド移動体、この一対のスライド移動体に一端部が取付けられ、他端部が前記一対の目地カバーの上部の左右の天井躯体に取付けられた一対の滑車、この一対の滑車を通過して前記ハの字状のリンクの一方のリンク部材の中央部に取付けられた一対の中央滑車、この一対の中央滑車を通過して前記ハの字状のリンクの他方のリンク部材の他端部寄りに取付けられたガイド滑車を介して、前記ハの字状のリンクの一方のリンク部材の他端部寄りの部位に取付けられたワイヤーとからなる吊り上げ機構とで構成されているので、地震等によって左右の建物が揺れ動き、目地部が狭くなると、該目地部の狭くなる寸法以上の寸法で一対の目地カバーを上方へ回動させることができる。したがって、一対の目地カバーが衝突して損傷するのを確実に防止することができる。
【００２０】
（２）前記（１）によって、目地部が広くなると、一対の目地カバーは水平状態のまま離間して、その揺れ動きを吸収することができる。
【００２１】
（３）前記（１）によって、一対の目地カバーを上方へ回動させるための一対のワイヤーは、一対のガイドレールの他方のガイドレールに沿ってスライド移動するハの字状の一方のリンク部材と他方のリンク部材の移動量を滑車を介して伝えることができる。
したがって、確実にスムーズに移動させることができる。
【００２２】
（４）請求項２、３、４も前記（１）〜（３）と同様な効果が得られる。
【図面の簡単な説明】
【図１】本発明の第１の実施の形態の平面図。
【図２】本発明の第１の実施の形態の底面図。
【図３】図１の３−３線に沿う拡大断面図。
【図４】本発明の第１の実施の形態のハの字状のリンクの説明図。
【図５】本発明の第１の実施の形態の目地部が広くなる動作説明図。
【図６】本発明の第１の実施の形態の目地部が狭くなった状態の平面図。
【図７】図６の７−７線に沿う拡大断面図。
【図８】本発明の第１の実施の形態の目地部が狭くなる初めの動作説明図。
【図９】本発明の第１の実施の形態の目地部がさらに狭くなる動作説明図。
【図１０】本発明の第２の実施の形態の平面図。
【図１１】図１０の１１−１１線に沿う断面図。
【図１２】図１０の１２−１２線に沿う拡大断面図。
【図１３】本発明の第３の実施の形態の平面図。
【図１４】図１３の１４−１４線に沿う拡大断面図。
【図１５】本発明の第３の実施の形態のハの字状のリンクの説明図。
【図１６】本発明の第４の実施の形態の平面図。
【図１７】図１６の１７−１７線に沿う拡大断面図。
【図１８】本発明の第４の実施の形態のＸ字状のリンクの説明図。
【図１９】本発明の第５の実施の形態の平面図。
【図２０】図１９の２０−２０線に沿う拡大断面図。
【図２１】本発明の第５の実施の形態のリンクの説明図。
【図２２】本発明の第６の実施の形態の平面図。
【図２３】図２２の２３−２３線に沿う拡大断面図。
【図２４】本発明の第６の実施の形態の一対のリンクの説明図。
【符号の説明】
１、１Ａ、１Ｂ、１Ｃ、１Ｄ、１Ｅ：天井用目地装置、
２：目地部、            ３：建物、
４：ヒンジ部材、        ５：傾斜面、
６：傾斜面、            ７：目地カバー、
８：ガイドレール、      ９：取付け金具、
１０：枢支ピン、        １１：ローラー、
１２、１２Ａ：ハの字状のリンク、
１３：ガイド部材、      １４：ワイヤー取付けリング、
１５、１５Ａ：スライド移動体、
１６：滑車、            １７：中央滑車、
１８：ガイド滑車、      １９、２０：ワイヤー、
２１、２１Ａ、２１Ｂ：吊り上げ機構、
２２：チャンネル材、    ２３：スライドバー、
２４：長孔、            ２５：カバー、
２６：一方のリンク部材、２７：他方のリンク部材、
２８：枢支ピン、        ２９：Ｘ字状のリンク、
３０、３１、３２：中間滑車、
３３：リンク本体、      ３４：枢支ピン、
３５：中央リンク、      ３６、３６Ａ：リンク、
３７：枢支ピン、        ３８：ガイド滑車、
３９：枢支ピン、        ４０：ワイヤー固定金具、
４１：連結バー。
【図１】
2004332258.tif 000003
【図２】
2004332258.tif 000004
【図３】
2004332258.tif 000005
【図４】
2004332258.tif 000006
【図５】
2004332258.tif 000007
【図６】
2004332258.tif 000008
【図７】
2004332258.tif 000009
【図８】
2004332258.tif 000010
【図９】
2004332258.tif 000011
【図１０】
2004332258.tif 000012
【図１１】
2004332258.tif 000013
【図１２】
2004332258.tif 000014
【図１３】
2004332258.tif 000015
【図１４】
2004332258.tif 000016
【図１５】
2004332258.tif 000017
【図１６】
2004332258.tif 000018
【図１７】
2004332258.tif 000019
【図１８】
2004332258.tif 000020
【図１９】
2004332258.tif 000021
【図２０】
2004332258.tif 000022
【図２１】
2004332258.tif 000023
【図２２】
2004332258.tif 000024
【図２３】
2004332258.tif 000025
【図２４】
2004332258.tif 000026